(57)【特許請求の範囲】
【請求項１】
少なくとも１つのプリンタに対し無線通信を行うための通信手段と、操作者が所望の操作を実行可能な操作手段と、プリンタが新規に接続され前記通信手段により無線通信が行われるたびに、機種識別部分及び固有識別部分を含む、各プリンタ固有の識別情報を順次登録する登録手段と、前記操作手段を介したプリンタの印刷操作履歴を記憶可能な記憶手段と、前記操作手段及び前記記憶手段を制御する制御手段と、を有する操作端末に備えられた前記制御手段に対し、
前記操作手段を介した印刷指示の入力があったかどうかを判定する指示判定手順と、
前記指示判定手順で前記印刷指示の入力があったと判定された場合に、前記登録手段に登録されている前記識別情報が複数あるか否かを判定する識別情報判定手順と、
前記識別情報判定手順で前記識別情報が複数あると判定された場合に、印刷操作対象とする１つの機種の選択入力を受け付ける機種選択受付手順と、
前記機種選択受付手順で受け付けた機種に対応する前記機種識別部分を含む前記識別情報が前記登録手段に登録された前記プリンタのうち、前記記憶手段に最新の印刷操作履歴が記憶された１つの第１プリンタに向けて前記通信手段を介した情報送受信を試行し、前記第１プリンタと情報送受信可能であるか否かを判定する第１プリンタ判定手順と、
前記第１プリンタ判定手順で前記第１プリンタと情報送受信可能であると判定された場合に、前記印刷指示の入力に対応付けられた所望の印刷データを、前記通信手段を介して当該第１プリンタへ送信する第１印刷データ送信手順と、
前記第１プリンタ判定手順で前記第１プリンタと情報送受信可能でないと判定された場合に、前記登録手段に前記識別情報が登録され、かつ前記機種選択受付手順で受け付けた機種に対応する前記機種識別部分を含む前記識別情報が前記登録手段に登録された前記プリンタのうち前記第１プリンタ以外の、少なくとも１つの第２プリンタに向けて、前記通信手段を介した情報送受信を順次試行し、各第２プリンタと情報送受信可能であるか否かを判定する第２プリンタ判定手順と、
前記第２プリンタ判定手順で順次行われた前記情報送受信によって１つの前記第２プリンタと情報送受信可能であると判定された場合に、前記印刷指示の入力に対応付けられた所望の印刷データを、前記通信手段を介して当該１つの第２プリンタへ送信する第２印刷データ送信手順と、
を実行させるための、印刷処理プログラムであって、
かつ、
前記第２プリンタ判定手順では、
前記登録手段に登録された前記少なくとも１つの第２プリンタの前記識別情報の前記固有識別部分を参照して、当該固有識別部分に関する所定の規則性に沿って、前記少なくとも１つの第２プリンタに向けて前記情報送受信を順次試行し、
前記第２印刷データ送信手順では、
前記第２プリンタ判定手順で順次行われた前記情報送受信によって最初に情報送受信可能であると判定された１つの前記第２プリンタに対し、前記所望の印刷データを送信する
ことを特徴とする印刷処理プログラム。
【請求項２】
請求項１記載の印刷処理プログラムにおいて、
前記登録手段は、各プリンタの前記識別情報として各プリンタのアドレス情報も登録しており、
前記第１又は第２プリンタ送信手順では、
前記登録手段により登録された前記第１又は第２プリンタの前記アドレス情報を用いて当該第１又は第２プリンタを特定しつつ、前記情報送受信を試行する
ことを特徴とする印刷処理プログラム。
【請求項３】
少なくとも１つのプリンタに対し無線通信を行うための通信手段と、操作者が所望の操作を実行可能な操作手段と、プリンタが新規に接続され前記通信手段により無線通信が行われるたびに、機種識別部分及び固有識別部分を含む、各プリンタ固有の識別情報を順次登録する登録手段と、前記操作手段を介したプリンタの印刷操作履歴を記憶可能な記憶手段と、を有する操作端末が実行する、印刷処理方法であって、
前記操作手段を介した印刷指示の入力があったかどうかを判定する指示判定手順と、
前記指示判定手順で前記印刷指示の入力があったと判定された場合に、前記登録手段に登録されている前記識別情報が複数あるか否かを判定する識別情報判定手順と、
前記識別情報判定手順で前記識別情報が複数あると判定された場合に、印刷操作対象とする１つの機種の選択入力を受け付ける機種選択受付手順と、
前記機種選択受付手順で受け付けた機種に対応する前記機種識別部分を含む前記識別情報が前記登録手段に登録された前記プリンタのうち、前記記憶手段に最新の印刷操作履歴が記憶された１つの第１プリンタに向けて前記通信手段を介した情報送受信を試行し、前記第１プリンタと情報送受信可能であるか否かを判定する第１プリンタ判定手順と、
前記第１プリンタ判定手順で前記第１プリンタと情報送受信可能であると判定された場合に、前記印刷指示の入力に対応付けられた所望の印刷データを、前記通信手段を介して当該第１プリンタへ送信する第１印刷データ送信手順と、
前記第１プリンタ判定手順で前記第１プリンタと情報送受信可能でないと判定された場合に、前記登録手段に前記識別情報が登録され、かつ前記機種選択受付手順で受け付けた機種に対応する前記機種識別部分を含む前記識別情報が前記登録手段に登録された前記プリンタのうち前記第１プリンタ以外の、少なくとも１つの第２プリンタに向けて、前記通信手段を介した情報送受信を順次試行し、各第２プリンタと情報送受信可能であるか否かを判定する第２プリンタ判定手順と、
前記第２プリンタ判定手順で順次行われた前記情報送受信によって１つの前記第２プリンタと情報送受信可能であると判定された場合に、前記印刷指示の入力に対応付けられた所望の印刷データを、前記通信手段を介して当該１つの第２プリンタへ送信する第２印刷データ送信手順と、
を有し、
前記第２プリンタ判定手順では、
前記登録手段に登録された前記少なくとも１つの第２プリンタの前記識別情報の前記固有識別部分を参照して、当該固有識別部分に関する所定の規則性に沿って、前記少なくとも１つの第２プリンタに向けて前記情報送受信を順次試行し、
前記第２印刷データ送信手順では、
前記第２プリンタ判定手順で順次行われた前記情報送受信によって最初に情報送受信可能であると判定された１つの前記第２プリンタに対し、前記所望の印刷データを送信する
ことを特徴とする印刷処理方法。
【発明の詳細な説明】
【技術分野】
【０００１】
本発明は、プリンタに接続された操作端末で実行される印刷処理プログラム及びこれを用いた印刷処理方法に関する。
【背景技術】
【０００２】
無線通信により携帯型の操作端末から被操作装置を操作するシステムとして、例えば特許文献１に記載の技術が知られている。この従来技術においては、被操作装置（ブルートゥース装置）と操作端末（携帯端末）とがブルートゥース（登録商標）通信により接続され、被操作装置は、操作端末から送信された情報に対応した動作を実行可能である。
【先行技術文献】
【特許文献】
【０００３】
【特許文献１】特開２００９−７１６６４号公報
【発明の概要】
【発明が解決しようとする課題】
【０００４】
近年、上記被操作装置としてプリンタを適用し、操作者が、操作端末に備えられた操作手段を適宜に操作することで無線通信を介して印刷装置に所望の印刷を行わせるシステムが提唱されつつある。このようなシステムにおける、印刷装置に接続可能な操作端末では、一般に、プリンタが新たに接続され印刷が実行される（＝印刷操作）たび、各プリンタ固有の識別情報（名称やアドレス情報等）が登録される。
【０００５】
ここで、操作端末とプリンタとが無線通信を介して接続され情報送受信が行われる場合、操作端末が持ち運ばれていろいろな場所でプリンタと接続されて使用されることから、使用期間が長くなるにつれて、多数のプリンタとの印刷操作履歴が順次生じる。この場合、上記のようにして多数のプリンタの識別情報が順次登録され、蓄積された状態となる。このような多数のプリンタの登録状態において、あるときにそれら既登録の（すなわち過去に接続したことのある）多数のプリンタのうちいずれか１つに対し、操作端末から印刷操作を行うためには、操作者は、次のような操作を行う必要がある。すなわち、操作者は、上記多数のプリンタの識別情報の中から当該接続しようとする１つのプリンタの識別情報を見つけ出し、その識別情報を選択して当該接続しようとする１つのプリンタを特定して無線による接続を実行した後、印刷データを送信しなければならない。この場合、例えば当該印刷操作を行おうとする１つのプリンタが操作者の目の前や至近距離にあったとしても、上記のような識別情報の探索、選択、無線接続、送信等の操作が必ず必要となり、操作者にとって労力負担が大きく煩わしかった。
【０００６】
本発明の目的は、多数のプリンタの識別情報が登録された状態であっても、印刷操作時の操作者の労力負担を低減できる印刷処理プログラム及び印刷処理方法を提供することにある。
【課題を解決するための手段】
【０００７】
上記目的を達成するために、本願第１発明の印刷処理プログラムは、少なくとも１つのプリンタに対し無線通信を行うための通信手段と、操作者が所望の操作を実行可能な操作手段と、プリンタが新規に接続され前記通信手段により無線通信が行われるたびに、機種識別部分及び固有識別部分を含む、各プリンタ固有の識別情報を順次登録する登録手段と、前記操作手段を介したプリンタの印刷操作履歴を記憶可能な記憶手段と、前記操作手段及び前記記憶手段を制御する制御手段と、を有する操作端末に備えられた前記制御手段に対し、前記操作手段を介した印刷指示の入力があったかどうかを判定する指示判定手順と、前記指示判定手順で前記印刷指示の入力があったと判定された場合に、前記登録手段に登録されている前記識別情報が複数あるか否かを判定する識別情報判定手順と、前記識別情報判定手順で前記識別情報が複数あると判定された場合に、印刷操作対象とする１つの機種の選択入力を受け付ける機種選択受付手順と、前記機種選択受付手順で受け付けた機種に対応する前記機種識別部分を含む前記識別情報が前記登録手段に登録された前記プリンタのうち、前記記憶手段に最新の印刷操作履歴が記憶された１つの第１プリンタに向けて前記通信手段を介した情報送受信を試行し、前記第１プリンタと情報送受信可能であるか否かを判定する第１プリンタ判定手順と、前記第１プリンタ判定手順で前記第１プリンタと情報送受信可能であると判定された場合に、前記印刷指示の入力に対応付けられた所望の印刷データを、前記通信手段を介して当該第１プリンタへ送信する第１印刷データ送信手順と、前記第１プリンタ判定手順で前記第１プリンタと情報送受信可能でないと判定された場合に、前記登録手段に前記識別情報が登録され、かつ前記機種選択受付手順で受け付けた機種に対応する前記機種識別部分を含む前記識別情報が前記登録手段に登録された前記プリンタのうち前記第１プリンタ以外の、少なくとも１つの第２プリンタに向けて、前記通信手段を介した情報送受信を順次試行し、各第２プリンタと情報送受信可能であるか否かを判定する第２プリンタ判定手順と、
前記第２プリンタ判定手順で順次行われた前記情報送受信によって１つの前記第２プリンタと情報送受信可能であると判定された場合に、前記印刷指示の入力に対応付けられた所望の印刷データを、前記通信手段を介して当該１つの第２プリンタへ送信する第２印刷データ送信手順と、を実行させるための、印刷処理プログラムであって、かつ、前記第２プリンタ判定手順では、前記登録手段に登録された前記少なくとも１つの第２プリンタの前記識別情報の前記固有識別部分を参照して、当該固有識別部分に関する所定の規則性に沿って、前記少なくとも１つの第２プリンタに向けて前記情報送受信を順次試行し、前記第２印刷データ送信手順では、前記第２プリンタ判定手順で順次行われた前記情報送受信によって最初に情報送受信可能であると判定された１つの前記第２プリンタに対し、前記所望の印刷データを送信することを特徴とする。
【０００８】
本願第１発明の印刷処理プログラムは、操作端末の制御手段によって実行される。操作端末には、通信手段、操作手段、登録手段、記憶手段、及び上記制御手段が備えられている。また、この操作端末は、通信手段を介し、少なくとも１つのプリンタに対し、無線通信により情報送受信可能に接続される。そして、プリンタが新たに接続されて無線通信により印刷データが送信され印刷が実行される（＝印刷操作）たび、登録手段が、各プリンタ固有の識別情報（名称やアドレス情報等）を登録する。
【０００９】
ここで、本願第１発明のように、無線通信を介して操作端末とプリンタとが接続され情報送受信が行われる場合、操作端末が持ち運ばれていろいろな場所でプリンタと接続されて使用されることから、使用期間が長くなるにつれて、多数のプリンタとの印刷操作履歴が順次生じる。この場合、上記のようにして登録手段によって多数のプリンタの識別情報が順次登録され、蓄積された状態となる。このような多数のプリンタの登録状態において、あるときにそれら既登録の（すなわち過去に接続したことのある）多数のプリンタのうちいずれか１つに対し、操作端末から印刷操作を行うためには、操作者は、次のような操作を行う必要がある。すなわち、操作者は、上記多数のプリンタの識別情報の中から当該接続しようとする１つのプリンタの識別情報を見つけ出し、その識別情報を選択して当該接続しようとする１つのプリンタを特定して無線による接続を実行した後、印刷データを送信しなければならない。この場合、例えば当該印刷操作を行おうとする１つのプリンタが操作者の目の前や至近距離にあったとしても、上記のような識別情報の探索、選択、無線接続、送信等の操作が必ず必要となり、操作者にとって労力負担が大きい。
【００１０】
そこで、本願第１発明では、制御手段が印刷処理プログラムを実行すると、指示判定手順と、識別情報判定手順と、第１プリンタ判定手順と、第１印刷データ送信手順と、を実行する。すなわち、操作者が操作手段を用いて印刷指示入力を行うと指示判定手順の判定が満たされ、その後の識別情報判定手順で、上記登録済みの識別情報が複数あるか否かが判定される。上述のようにして多数のプリンタの印刷操作履歴により多数の識別情報が登録されていると判定が満たされ、第１プリンタ判定手順で、印刷操作履歴が最新である１つのプリンタ（第１プリンタ）に向けて情報送受信が試行される。これにより、前回の操作時と同じプリンタに対して今回また印刷操作を行おうとしている場合には、操作者が当該プリンタの比較的近傍に操作端末を持参して上記印刷指示入力操作を行うことで、上記情報送受信が成功して第１プリンタ判定手順の判定が満たされる。この結果、第１プリンタ判定手順の後の第１印刷データ送信手順で、上記印刷指示入力に対応した所望の印刷データが上記第１プリンタへ送信され、これによって当該印刷データに対応した印刷が第１プリンタにおいて実行される。
【００１１】
以上のようにして、本願第１発明においては、多数のプリンタの識別情報の登録状態であっても、少なくとも、前回と同じプリンタにより印刷を実行しようとする場合においては、操作者は、当該プリンタの比較的近傍において印刷指示入力操作を行うだけで足りる。この結果、印刷を実行させようとする１つのプリンタの識別情報の探索、選択、無線接続、送信等の操作が必ず必要となる従来手法に比べ、操作者の労力負担を大きく低減することができる。
【００１３】
また、前回印刷操作したプリンタ（第１プリンタ）ではないプリンタ（第２プリンタ）を今回印刷操作する場合であっても、第１プリンタ判定手順での判定が満たされなかった後で実行される第２プリンタ判定手順で、当該第２プリンタに対し情報送受信が試行される。そして、情報送受信可能であることが確認されたら、第２印刷データ送信手順で、上記印刷指示入力に対応した所望の印刷データが当該第２プリンタへ送信され、これによって当該印刷データに対応した印刷が第２プリンタにおいて実行される。
【００１４】
以上のようにして、本願第２発明においては、前回とは異なるプリンタにより印刷を実行しようとする場合であっても、当該プリンタが既に識別情報が登録されているプリンタであれば、操作者は、印刷指示入力操作を行うだけで印刷を行わせることができる。これにより、上記同様、操作者の労力負担を大きく低減することができる。
【００１５】
第３発明は、上記第２発明において、前記第２印刷データ送信手順では、前記第２プリンタ判定手順で順次行われた前記情報送受信によって最初に情報送受信可能であると判定された１つの前記第２プリンタに対し、前記所望の印刷データを送信することを特徴とする。
【００１６】
また、第２プリンタ判定手順で最初に情報送受信可能であると判定された１つの第２プリンタに対し所望の印刷データを送信することにより、操作者は、例えば印刷操作を行いたいプリンタの近傍でかつそれ以外のプリンタからは遠い位置まで赴き、印刷指示入力操作を行うことで、当該プリンタに確実に印刷を実行させることができる。
【００１７】
第２発明は、上記第１発明において、前記登録手段は、各プリンタの前記識別情報として各プリンタのアドレス情報も登録しており、前記第１又は第２プリンタ送信手順では、前記登録手段により登録された前記第１又は第２プリンタの前記アドレス情報を用いて当該第１又は第２プリンタを特定しつつ、前記情報送受信を試行することを特徴とする。
【００１８】
これにより、登録手段が登録したアドレス情報を用いて、今回の印刷操作対象である、前回使用した第１プリンタや第１プリンタ以外の第２プリンタを特定し、確実に接続を行って情報送受信を実行することができる。
【００１９】
上記目的を達成するために、本願第３発明の印刷処理方法は、少なくとも１つのプリンタに対し無線通信を行うための通信手段と、操作者が所望の操作を実行可能な操作手段と、プリンタが新規に接続され前記通信手段により無線通信が行われるたびに、機種識別部分及び固有識別部分を含む、各プリンタ固有の識別情報を順次登録する登録手段と、前記操作手段を介したプリンタの印刷操作履歴を記憶可能な記憶手段と、を有する操作端末が実行する、印刷処理方法であって、前記操作手段を介した印刷指示の入力があったかどうかを判定する指示判定手順と、前記指示判定手順で前記印刷指示の入力があったと判定された場合に、前記登録手段に登録されている前記識別情報が複数あるか否かを判定する識別情報判定手順と、前記識別情報判定手順で前記識別情報が複数あると判定された場合に、印刷操作対象とする１つの機種の選択入力を受け付ける機種選択受付手順と、前記機種選択受付手順で受け付けた機種に対応する前記機種識別部分を含む前記識別情報が前記登録手段に登録された前記プリンタのうち、前記記憶手段に最新の印刷操作履歴が記憶された１つの第１プリンタに向けて前記通信手段を介した情報送受信を試行し、前記第１プリンタと情報送受信可能であるか否かを判定する第１プリンタ判定手順と、前記第１プリンタ判定手順で前記第１プリンタと情報送受信可能であると判定された場合に、前記印刷指示の入力に対応付けられた所望の印刷データを、前記通信手段を介して当該第１プリンタへ送信する第１印刷データ送信手順と、前記第１プリンタ判定手順で前記第１プリンタと情報送受信可能でないと判定された場合に、前記登録手段に前記識別情報が登録され、かつ前記機種選択受付手順で受け付けた機種に対応する前記機種識別部分を含む前記識別情報が前記登録手段に登録された前記プリンタのうち前記第１プリンタ以外の、少なくとも１つの第２プリンタに向けて、前記通信手段を介した情報送受信を順次試行し、各第２プリンタと情報送受信可能であるか否かを判定する第２プリンタ判定手順と、前記第２プリンタ判定手順で順次行われた前記情報送受信によって１つの前記第２プリンタと情報送受信可能であると判定された場合に、前記印刷指示の入力に対応付けられた所望の印刷データを、前記通信手段を介して当該１つの第２プリンタへ送信する第２印刷データ送信手順と、を有し、前記第２プリンタ判定手順では、前記登録手段に登録された前記少なくとも１つの第２プリンタの前記識別情報の前記固有識別部分を参照して、当該固有識別部分に関する所定の規則性に沿って、前記少なくとも１つの第２プリンタに向けて前記情報送受信を順次試行し、前記第２印刷データ送信手順では、前記第２プリンタ判定手順で順次行われた前記情報送受信によって最初に情報送受信可能であると判定された１つの前記第２プリンタに対し、前記所望の印刷データを送信することを特徴とする。
【発明の効果】
【００２４】
本発明によれば、多数のプリンタの識別情報が登録された状態であっても、印刷操作時の操作者の労力負担を低減することができる。
【図面の簡単な説明】
【００２５】
【図１】本発明の一実施形態が適用される操作端末をプリンタと共に示すシステム構成図である。
【図２】携帯型プリンタの外観を斜め背面側から見た斜視図である。
【図３】携帯型プリンタの内部構造を表す図２中ＩＩＩ−ＩＩＩ断面による側断面図である。
【図４】携帯型プリンタ及び操作端末の機能的構成を表すブロック図である。
【図５】操作端末内における処理制御上の機能的構成の一例を表すブロック図である。
【図６】操作端末からプリンタへの情報の流れを概念的に説明する図である。
【図７】種々の場所の設置されているプリンタに対し操作端末が通信を行っている状態を表す説明図、及び、操作端末に多数の携帯型プリンタの識別情報が順次登録され蓄積された状態を表す説明図である。
【図８】過去に登録された全ての携帯型プリンタから１つを選択して印刷指示を行う必要がある比較例を説明するための説明図である。
【図９】操作端末から印刷指示を行うのみで直近履歴の携帯型プリンタに印刷操作を行える本実施形態の手法を説明するための説明図である。
【図１０】操作端末のＣＰＵによって実行される制御内容を表すフローチャートである。
【図１１】機種選択を行う変形例において操作端末のＣＰＵによって実行される制御内容を表すフローチャートである。
【発明を実施するための形態】
【００２６】
以下、本発明の一実施の形態を図面を参照しつつ説明する。
【００２７】
＜システム構成＞
図１に、本実施形態が適用される操作端末を、操作対象であるプリンタとともに示す。図１において、携帯型プリンタ１００と操作端末２００とによって、印刷システムＰＳが構成されている。携帯型プリンタ１００と操作端末２００とは、ブルートゥース（登録商標）通信により、情報送受信可能に接続されている。
【００２８】
操作端末２００は、例えば、上記ブルートゥース通信に対応する機能を備えたＰＤＡ（携帯情報端末）やスマートフォン（ＰＤＡ機能を備えた携帯電話）等の情報端末である。この操作端末２００は、タッチパネル２０１と、例えば操作ボタン２０２とを有している。タッチパネル２０１は、液晶ディスプレイ等により各種情報やメッセージを表示する表示機能を有すると共に、上記操作ボタン２０２と併せて操作者が所望の指示や情報を入力可能である。したがって、以降、タッチパネルの上記表示機能部分を単に「表示部２０１」と称し、タッチパネルの上記操作機能部分と上記操作ボタンとを、単に「操作部２０２」と称する。この操作部２０２が各請求項記載の操作手段として機能する。操作端末２００は、この例では、ブルートゥース通信を介して携帯型プリンタ１００に情報送受信を試行し、この情報送受信が可能となった場合のみ、携帯型プリンタ１００により所望の印刷データを印刷させることができる。
【００２９】
＜プリンタの構成＞
図２及び図３を用いて、上記携帯型プリンタ１００の概略構成について説明する。
【００３０】
携帯型プリンタ１００は、全体が略直方体形状に形成されたハウジング１０２を備えている。ハウジング１０２の図中奥側の上面には、カバー部材１０３が開閉可能に設けられている。印刷時には、このカバー部材１０３の隙間（図示省略）に被印刷用紙Ｓ（後述の図４参照）が挿通される。図２中においてハウジング１０２の手前側に位置する側面は、当該携帯型プリンタ１００の背面部分に相当し、この背面部分にはバッテリ室カバー１０４が着脱可能に設けられている。当該バッテリ室カバー１０４を取り外した状態では、バッテリ電源１０７（図３参照）を収容するバッテリ収納室１０５がハウジング１０２の背面部分に開口する。
【００３１】
ハウジング１０２内には、プラテンローラ１１１とサーマルラインヘッド１１２とが設けられている。プラテンローラ１１１は、ハウジング１０２の内部で回転自在に支持されており、図示しない駆動機構により回転駆動されることで被印刷用紙Ｓを搬送する。サーマルラインヘッド１１２は、上記プラテンローラ１１１に接離自在に設置されており、印刷時にはプラテンローラ１１１に所定の圧接力で接触し、その間に挿通された被印刷用紙Ｓに所望の印刷を行う。
【００３２】
通常の場合は、カバー部材１０３を閉じた状態で隙間の搬送路に被印刷用紙Ｓを挿通することで、プラテンローラ１１１により被印刷用紙Ｓが搬送され、当該被印刷用紙Ｓに対しサーマルラインヘッド１１２によって所望の印刷が行われる。なお、紙詰まりを取り除くには、カバー部材１０３を開けた状態にする。この時、サーマルラインヘッド１１２からプラテンローラ１１１がリリースされるため、容易に用紙を引き出すことが可能になる。
【００３３】
ハウジング１０２は、トップカバー１２１、アンダーカバー１３１、及び２つのサイドカバー（図示省略）で構成されている。
【００３４】
＜プリンタ及び操作端末の機能的構成＞
図４を用いて、携帯型プリンタ１００及び操作端末２００の機能的構成を説明する。
【００３５】
図４において、携帯型プリンタ１００は、被印刷用紙Ｓに所望の印刷を行う上記サーマルラインヘッド１１２と、上記プラテンローラ１１１と、制御回路１４１と、例えばＲＡＭやＲＯＭ等からなるメモリ１４４と、上記操作端末２００との間で行われる上記ブルートゥース通信の制御を行う通信制御部１４２と、を備えている。
【００３６】
操作端末２００は、ＣＰＵ２０３（制御手段）と、例えばＲＡＭやＲＯＭ等からなるメモリ２０４（登録手段）と、上記操作部２０２と、上記表示部２０１と、ハードディスク装置等からなり各種情報を記憶する大容量記憶装置２０５（記憶手段）と、無線通信を介して少なくとも１つの携帯型プリンタ１００との情報送受信の制御を行う通信制御部２０６（通信手段）とを備えている。
【００３７】
ＣＰＵ２０３は、ＲＡＭの一時記憶機能を利用しつつＲＯＭに予め記憶されたプログラムに従って信号処理を行い、それによって携帯型プリンタ１００との間で各種の指示信号・情報信号の送受を行うようになっている。なお、ＲＯＭに記憶された上記プログラムには、後述する図１０や図１１のフローの各手順からなる印刷処理方法を実行するための、本実施形態による印刷処理プログラムが含まれている。
【００３８】
上記大容量記憶装置２０５（メモリ２０４でもよい）には、文字スタイルやフォント等の所定の書式の種類ごとに、印刷指令をプリンタコード（詳細は省略）に変換するためのプログラムが記憶されている。
【００３９】
次に、図５及び図６を用いて、操作端末２００内における処理上の機能的構成及び処理の流れについて説明する。
【００４０】
図５において、操作端末２００の上記メモリ２０４上に、少なくとも１つのアプリケーションプログラムＡＰと、プリンタドライバＰＤのそれぞれのプログラムが展開して起動しており、相互に指示信号と情報信号を送受信可能となっている。そしてアプリケーションプログラムＡＰはプリンタドライバＰＤに対して信号を送受し、またプリンタドライバＰＤは上記大容量記憶装置２０５と信号を送受信すると共に、上記通信制御部２０６，１４２同士のブルートゥース通信を介して携帯型プリンタ１００と信号を送受信するようになっている。
【００４１】
これらアプリケーションプログラムＡＰとプリンタドライバＰＤは、いずれも操作端末２００が備える１つの上記ＣＰＵ２０３によって実行される。すなわち、例えば公知のタイムシェアリングシステム（ＴＳＳ）などの時分割での割り込み制御によって、ＣＰＵ２０３においてそれぞれ個別に独立して実行される。またプリンタドライバＰＤについては、操作端末２００の基本ＯＳに予め組み込まれたものでもよいし、他のアプリケーションと同様にＯＳ上で個別に起動されるプログラムであってもよい。
【００４２】
ここで、アプリケーションプログラムＡＰとしては、文書作成や画像作成用のアプリケーションプログラム、例えば文書作成・管理用の文書管理用アプリケーションプログラムや、写真やイラスト等の画像作成・管理用の画像管理用アプリケーションプログラムなどがある。そして、アプリケーションプログラムＡＰは、操作者による操作部２０２の操作に対応して印刷指令を含む印刷ジョブを生成し、その生成された印刷ジョブは、アプリケーションプログラムＡＰからプリンタドライバＰＤへと出力される。
【００４３】
そして、図６に示すように、プリンタドライバＰＤは、アプリケーションプログラムＡＰから出力された上記印刷ジョブを受け付け、印刷ジョブに含まれる印刷指令を対応するプリンタコードに変換する。そして、携帯型プリンタ１００に対してこの変換したプリンタコード（印刷データ）を出力する。携帯型プリンタ１００は、プリンタドライバＰＤから入力されたプリンタコードに基づいて、必要な各種処理を行い、その後必要な印刷を行う。
【００４４】
＜本実施形態の特徴＞
以上のような本実施形態の操作端末２００では、携帯型プリンタ１００が新規に接続され上記ブルートゥース通信等により無線通信が行われるたびに、各携帯型プリンタ１００に固有のプリンタ名称や例えばＭａｃアドレスやＩＰアドレス等の識別情報がメモリ２０４に順次登録される。
【００４５】
また、操作端末２００が上記無線通信を介し携帯型プリンタ１００に印刷データを送信して印刷が実行されるたびに、上記大容量記憶装置２０５（又はメモリ２０４）に、上記操作部２０２を介した携帯型プリンタ１００の印刷操作履歴が記憶される。
【００４６】
＜多数のプリンタの登録状態＞
ここで、上記無線通信を介して操作端末２００と携帯型プリンタ１００とが接続され情報送受信が行われる場合、操作端末２００が持ち運ばれることで、いろいろな場所で携帯型プリンタ１００と接続されて使用される場合がある。例えば、図７（ａ）に示すように、デスクＱ１に置かれた携帯型プリンタ１００（以下適宜、携帯型プリンタ１００Ａ」という。図示参照）が操作端末２００によって印刷操作される場合、あるいは図７（ｂ）に示すように、例えば自動車の座席Ｑ２に置かれた携帯型プリンタ１００（以下適宜、携帯型プリンタ１００Ｂ」という。図示参照）が操作端末２００によって印刷操作される場合、あるいは図７（ｃ）に示すように、棚Ｑ３に置かれた携帯型プリンタ１００（以下適宜、携帯型プリンタ１００Ｃ」という。図示参照）が操作端末２００によって印刷操作される場合等がある。以下適宜、これら携帯型プリンタ１００Ａ〜Ｃを総称して単に「携帯型プリンタ１００」という。
【００４７】
上記のように携帯型プリンタ１００Ａ，１００Ｂ，１００Ｃ・・に対し１つの操作端末２００によって順次印刷操作が行われた場合、各操作履歴によって、表示部２０１には、図７（ｄ）に示すように、各携帯型プリンタ１００Ａ，１００Ｂ，１００Ｃ，・・に対応したプリンタ識別情報、例えば上記プリンタ１００Ａに対応した「プリンタＰ−ＸＸ」、上記プリンタ１００Ｂに対応した「プリンタＰ−ＹＹ」、上記プリンタ１００Ｃに対応した「プリンタＰ−ＺＺ」等の多くのプリンタ名称等が累積表示される。すなわち、操作端末２００の使用期間が長くなるにつれて、多数の携帯型プリンタ１００との印刷操作履歴が順次生じ、上記のようにしてメモリ２０４に多数の携帯型プリンタ１００の上記識別情報が順次登録され、大容量記憶装置２０５に蓄積保存された状態となる。
【００４８】
＜操作労力の増大＞
このような多数の携帯型プリンタ１００の登録状態において、あるときにそれら既登録の（すなわち過去に接続したことのある）多数の携帯型プリンタ１００のうちいずれか１つに対し、操作端末２００から印刷操作を行うためには、操作者は、次のような操作を行う必要がある。
【００４９】
すなわち、操作者は、比較例として図８（ａ）に示すように、例えば棚Ｑ３に置かれた上記プリンタ１００Ｃを使用する場合、図８（ｂ）に示すような操作端末２００の表示部２０１に表示されている過去に登録された全ての携帯型プリンタ１００のプリンタ名称の中から、当該接続しようとするプリンタ１００Ｃに対応する「プリンタＰ−ＺＺ」を見つけ出す。そして、操作者は、その「プリンタＰ−ＺＺ」の表示を操作部２０２で選択し指定する（図中の網掛けは選択済みであることを示す）ことで、接続しようとする１つの携帯型プリンタ１００として特定する（図８（ｃ）参照）。その後、操作者は、例えば表示部２０１において「Ｐｒｉｎｔ」ボタンを操作（図８（ｄ））することで、無線通信により当該携帯型プリンタ１００との接続を行って印刷データを送信しなければならない。この場合、例えば当該印刷操作を行おうとする１つの携帯型プリンタ１００（上記の例では携帯型プリンタ１００Ｃ）が操作者の目の前や至近距離にあったとしても、上記のようなプリンタ名称の探索、プリンタ名称の選択、無線接続、送信等の操作が必ず必要となり、操作者にとって労力負担が大きい。
【００５０】
＜本実施形態の手法＞
そこで、本実施形態においては、図９（ａ）に示すように、前回使用した携帯型プリンタ１００（上述の例では携帯型プリンタ１００Ｃ）であれば、操作端末２００の１回の印刷指示、すなわち図９（ｂ）に示す表示部２０１の「Ｐｒｉｎｔ」ボタンを操作のみで、無線通信による接続と印刷データの送信が自動的に実行される。これにより、上記図８（ｂ）及び図８（ｃ）に示したような、全てのプリンタ名称の探索やそこからの１つのプリンタ名称の選択等を不要とした。
【００５１】
＜制御手順＞
次に、上記の内容を実現するために操作端末２００の上記ＣＰＵ２０３によって実行される、上記印刷処理プログラムに基づく制御内容を図１０を用いて説明する。
【００５２】
まずステップＳ１０で、ＣＰＵ２０３は、上記操作部２０２を介し操作者からの印刷指示の入力があったか否か、言い換えれば、アプリケーションプログラムＡＰからプリンタドライバＰＤへ上記印刷ジョブが出力されたか否か、を判定する。操作者が印刷開始を指示していない状態では、ステップＳ１０の判定が満たされず（Ｓ１０：ＮＯ）、ループ待機する。操作者が印刷開始を指示すると、ステップＳ１０の判定が満たされ（Ｓ１０：ＹＥＳ）、ステップＳ２０に移る。なお、このステップＳ１０が各請求項記載の指示判定手順に相当する。
【００５３】
ステップＳ２０では、ＣＰＵ２０３は、メモリ２０４に上記識別情報（上述したように固有のプリンタ名称や例えばＭａｃアドレスやＩＰアドレス等）が登録されている携帯型プリンタ１００が複数台存在するか否かを判定する。識別情報が登録されている携帯型プリンタ１００が複数台存在すれば、ステップＳ２０の判定が満たされ（Ｓ２０：ＹＥＳ）、後述のステップＳ３０に移る。識別情報が登録されている携帯型プリンタ１００が１台しか存在しない場合には、ステップＳ２０の判定が満たされず（Ｓ２０：ＮＯ）、ステップＳ２１に移る。なお、このステップＳ２０が各請求項記載の識別情報判定手順に相当する。
【００５４】
ステップＳ２１では、ＣＰＵ２０３は、メモリ２０４に登録されている１台の携帯型プリンタ１００を、その識別情報（上述したように固有のプリンタ名称や例えばＭａｃアドレスやＩＰアドレス等）を用いて送信先として特定（認定）する。
【００５５】
その後、ステップＳ２２に移り、ＣＰＵ２０３は、通信制御部２０６を介してブルートゥース通信により、上記ステップＳ２１で特定した携帯型プリンタ１００に対し、試行信号（問いかけ信号）を送信する。前述のように、携帯型プリンタ１００では、通信制御部１４２を介して制御回路１４１が試行信号を受信すると、携帯型プリンタ１００が操作端末２００と通信可能であれば、それに対する応答信号が出力される。したがって、ＣＰＵ２０３は、当該応答信号を通信制御部２０６を介して受信することで、その携帯型プリンタ１００が通信可能なプリンタであると認識することができる。
【００５６】
そして、ステップＳ２３に移り、ＣＰＵ２０３は、通信制御部２０６を介しての携帯型プリンタ１００に対する通信が成功したか否か、言い換えれば、上記ステップＳ２２における問いかけ信号に対応する応答信号が受信されたか否か、を判定する。通信が成功していなければ、ステップＳ２３の判定が満たされず（Ｓ：ＮＯ）、後述のステップＳ２５に移る。通信が成功していれば、ステップＳ２３の判定が満たされ（Ｓ２３：ＹＥＳ）、ステップＳ２４に移る。
【００５７】
ステップＳ２４では、ＣＰＵ２０３は、上述したようにしてアプリケーションＡＰから出力された上記印刷ジョブに含まれる印刷指令を、プリンタドライバＰＤを用いてプリンタコードに変換する。その後、ＣＰＵ２０３は、この変換により生成されたプリンタコードを、通信制御部２０６を介して上記通信相手として特定された携帯型プリンタ１００に送信する。そして、このフローを終了する。携帯型プリンタ１００は、通信制御部１４２を介して上記出力されたプリンタコードを受信することにより当該、プリンタコードで指示された内容の所望の印刷をサーマルラインヘッド１１２により被印刷用紙Ｓに対して実行する。
【００５８】
一方、ステップＳ２５では、ＣＰＵ２０３は、操作端末２００の表示部２０１に、所定のエラー表示を表示させ、このフローを終了する。
【００５９】
一方、ステップＳ２０の判定が満たされずに移行したステップＳ３０では、ＣＰＵ２０３は、大容量記憶装置２０５（メモリ２０４でもよい）に登録されている各携帯型プリンタ１００の印刷操作履歴に基づき、操作履歴が最新である１台の携帯型プリンタ１００（各請求項記載の第１プリンタに相当）を、その識別情報（上記固有のプリンタ名称や例えばＭａｃアドレスやＩＰアドレス等）を用いて送信先として特定する。
【００６０】
その後、ステップＳ４０で、ＣＰＵ２０３は、上記ステップＳ２２と同様、上記ステップＳ３０で特定した携帯型プリンタ１００に対し、試行信号（問いかけ信号）を送信する。前述と同様、携帯型プリンタ１００が試行信号を受信すると、操作端末２００と通信可能であれば応答信号を出力する。
【００６１】
そして、ステップＳ５０において、ＣＰＵ２０３は、上記ステップＳ２３と同様、上記ステップＳ３０で特定した携帯型プリンタ１００に対する通信が成功したか否かを判定する。通信が成功していなければ、ステップＳ５０の判定が満たされず（Ｓ５０：ＮＯ）、後述のステップＳ５１に移る。通信が成功していれば、ステップＳ５０の判定が満たされ、ステップＳ６０に移る。なお、このステップＳ５０及び上記ステップＳ４０が各請求項記載の第１プリンタ判定手順に相当する。
【００６２】
ステップＳ６０では、ＣＰＵ２０３は、上記ステップＳ２４と同様、上記印刷ジョブに含まれる印刷指令をプリンタコードに変換した後、この変換されたプリンタコードを上記通信相手として特定された携帯型プリンタ１００に送信し、このフローを終了する。なお、このステップＳ６０が各請求項記載の第１印刷データ送信手順に相当する。
【００６３】
一方、上記ステップＳ５０の判定が満たされずに移行したステップＳ５１では、ＣＰＵ２０３は、大容量記憶装置２０５（メモリ２０４でもよい）に登録されている各携帯型プリンタ１００の印刷操作履歴に基づき、上記ステップＳ３０で特定した最新履歴の携帯型プリンタ１００とは異なる、別の１台の携帯型プリンタ１００（各請求項記載の第２プリンタに相当）を、その識別情報（上記固有のプリンタ名称や例えばＭａｃアドレスやＩＰアドレス等）を用いて送信先として特定する。なお、当該別の１台の決定においては、登録順、名称順、等の所定の規則性に沿って上記最新履歴の携帯型プリンタ１００の次の順番の携帯型プリンタを特定すればよい。
【００６４】
その後、ステップＳ５２に移り、ＣＰＵ２０３は、上記ステップＳ４０と同様、上記ステップＳ５１で特定した携帯型プリンタ１００に対し、試行信号（問いかけ信号）を送信する。前述と同様、携帯型プリンタ１００が試行信号を受信すると、操作端末２００と通信可能であれば応答信号を出力する。
【００６５】
その後、ステップＳ５３に移り、ＣＰＵ２０３は、上記ステップＳ５０と同様、上記ステップＳ５２で特定した携帯型プリンタ１００に対する通信が成功したか否かを判定する。通信が成功していれば、ステップＳ５３の判定が満たされ（Ｓ５３：ＹＥＳ）、後述のステップＳ５６に移る。通信が成功していなければ、ステップＳ５３の判定が満たされず（Ｓ５３：ＮＯ）、ステップＳ５４に移る。なお、このステップＳ５３及び上記ステップＳ５２が各請求項記載の第２プリンタ判定手順に相当する。
【００６６】
その後、ステップＳ５４に移り、ＣＰＵ２０３は、通信制御部２０６を介し、既に上記識別情報が登録済みの全ての携帯型プリンタ１００に対する試行通信が行われたか否かを判定する。まだ全ての携帯型プリンタ１００に対する試行通信が完了していなければ、ステップＳ５４の判定が満たされず（Ｓ５４：ＮＯ）、上記ステップＳ５１に戻って同様の手順を繰り返す。全ての携帯型プリンタ１００について試行通信が行われていた場合には、ステップＳ５４の判定が満たされ（Ｓ５４：ＹＥＳ）、ステップＳ５５に移る。
【００６７】
ステップＳ５５では、ＣＰＵ２０３は、上記ステップＳ２３と同様、操作端末２００の表示部２０１に、エラー表示を表示させ、このフローを終了する。
【００６８】
一方、上記ステップＳ５３の判定が満たされて移行するステップＳ５６では、ＣＰＵ２０３は、上記ステップＳ２４やステップＳ６０と同様、上記印刷ジョブに含まれる印刷指令をプリンタコードに変換した後、変換されたプリンタコードを上記通信相手として特定された携帯型プリンタ１００に送信し、このフローを終了する。なお、このステップＳ５６が各請求項記載の第２印刷データ送信手順に相当する。
【００６９】
以上説明したように、本実施形態の印刷システムＰＳにおいては、操作者が操作端末２００を用いて印刷指示入力を行うと、登録済みの識別情報が複数あるか否かが判定される（ステップＳ２０参照）。上述のようにして多数の携帯型プリンタ１００の印刷操作履歴により多数の識別情報が登録されていると判定されると、印刷操作履歴が最新である１つの携帯型プリンタ１００に向けて情報送受信が試行される（ステップＳ３０参照）。これにより、前回の操作時と同じ携帯型プリンタ１００に対して今回また印刷操作を行おうとしている場合には、操作者が当該携帯型プリンタ１００の比較的近傍に操作端末２００を持参して上記印刷指示入力操作を行うことで、情報送受信が成功し、印刷指示入力に対応した所望の印刷データが上記携帯型プリンタ１００へ送信され、これによって当該印刷データに対応した印刷が携帯型プリンタ１００において実行される。
【００７０】
以上のようにして、本実施形態においては、多数の携帯型プリンタ１００の識別情報の登録状態であっても、少なくとも、前回と同じ携帯型プリンタ１００により印刷を実行しようとする場合においては、操作者は、当該携帯型プリンタ１００の比較的近傍において印刷指示入力操作を行うだけで足りる。この結果、印刷を実行させようとする１つの携帯型プリンタ１００の識別情報の探索、選択、無線接続、送信等の操作が必ず必要となる従来手法に比べ、操作者の労力負担を大きく低減することができる。
【００７１】
また、本実施形態では特に、前回印刷操作した携帯型プリンタ１００ではない携帯型プリンタ１００を今回印刷操作する場合であっても、ステップＳ５１にて当該携帯型プリンタ１００に対し順次情報送受信が試行される。そして、情報送受信可能であることが確認されたら、印刷指示入力に対応した所望の印刷データが当該携帯型プリンタ１００へ送信され、当該印刷データに対応した印刷が携帯型プリンタ１００において実行される。このようにして、本実施形態においては、前回とは異なる携帯型プリンタ１００により印刷を実行しようとする場合であっても、当該携帯型プリンタ１００が既に識別情報が登録されているプリンタであれば、操作者は、印刷指示入力操作を行うだけで印刷を行わせることができる。これにより、上記同様、操作者の労力負担を大きく低減することができる。
【００７２】
また、本実施形態では特に、ステップＳ５１、ステップＳ５２、ステップＳ５３、ステップＳ５４を経てステップＳ５１に戻り同様の手順を繰り返すことで順次情報送受信が行われる結果、最初に情報送受信可能であると判定された１つの携帯型プリンタ１００に対し、プリンタコード（印刷データ）が送信される（ステップＳ５６参照）。これにより、操作者は、例えば印刷操作を行いたい携帯型プリンタ１００の近傍でかつそれ以外の携帯型プリンタ１００からは遠い位置まで赴き、印刷指示入力操作を行うことで、当該携帯型プリンタ１００に確実に印刷を実行させることができる。
【００７３】
また、本実施形態では特に、前述したように、大容量記憶装置２０５（メモリ２０４でもよい）には、各携帯型プリンタ１００の識別情報としての例えばＭａｃアドレス又はＩＰアドレス等の固有のアドレス情報を登録しており、これら登録されたアドレス情報を用いて各携帯型プリンタ１００を特定し情報送受信が試行される（ステップＳ２２、ステップＳ４０、ステップＳ５２参照）。これにより、登録したアドレス情報を用いて、今回の印刷操作対象である、前回使用した携帯型プリンタ１００やこれ以外の携帯型プリンタ１００を特定し、確実に接続を行って情報送受信を実行することができる。
【００７４】
なお、本発明は、上記実施形態に限られるものではなく、その趣旨及び技術的思想を逸脱しない範囲内で種々の変形が可能である。以下、そのような変形例を順を追って説明する。
【００７５】
（１）機種選択を行う場合
図１１を用いて、本変形例における操作端末２００ＡのＣＰＵ２０３によって実行される制御内容を説明する。この変形例は、操作者が印刷操作対象としたいプリンタの機種を指定する場合の例である。上記実施形態と同等の部分には同一の符号を付し、説明を省略又は簡略化する。
【００７６】
図１１に示すフローチャートでは、上記実施形態の図１０のフローにおけるステップＳ２０とステップＳ３０との間に新たにステップＳ２６が設けられ、またステップＳ３０、ステップＳ５１、ステップＳ５４に代えて、新たにステップＳ３０′、ステップＳ５１′、ステップＳ５４′がそれぞれ設けられた点が異なる。図１１のフローのその他の手順は、上記図１０のフローの手順と同様である。
【００７７】
図１１において、上記図１０と同様のステップＳ１０を経てステップＳ２０で判定が満たされると、新たに設けたステップＳ２６に移る。ステップＳ２６では、ＣＰＵ２０３は、操作者によってプリンタ機種の選択が行われたか否かを判定する。なお、この機種選択は、携帯型プリンタ１００において複数の機種が存在する場合に、その中のいずれであるかが選択される。あるいは、上記携帯型プリンタ１００と同等のブルートゥース通信を介した操作端末２００との接続機能を備え、携帯型プリンタとは異なるタイプの機種のプリンタがあったとき、当該タイプのプリンタを含めていずれかの機種が選択されてもよい。プリンタ機種の選択が行われるまではステップＳ２６の判定が満たされず（Ｓ２６：ＮＯ）ループ待機し、機種の選択が行われた場合には、ステップＳ２６の判定が満たされ（Ｓ２６：ＹＥＳ）、ステップＳ３０′に移行する。
【００７８】
以降、ステップＳ３０′、ステップＳ５１′、ステップＳ５４′において、上記ステップＳ２６で選択された機種について（限定して）上記ステップＳ３０、ステップＳ５１、ステップＳ５４と同等の処理を行う点が図１０と異なるだけであり、それ以外の処理は図１０と同等であるので、説明を省略する。
【００７９】
本変形例によっても、上記実施形態と同様の効果を得る。
【００８０】
（２）その他
以上においては、操作端末２００と携帯型プリンタ１００とがブルートゥース通信で接続される場合を例にとって説明したが、これに限られない。すなわち、操作端末２００と携帯型プリンタ１００とがアドホック通信等の上記ブルートゥース通信以外の適宜の相互認識無線通信で接続される場合であっても、上記同様に本発明を適用することができ、同様の効果を得る。
【００８１】
なお、以上は、プリンタとして、バッテリ電源により駆動される携帯用プリンタ１００に対し本発明を適用した場合を例にとって説明したが、これに限られない。すなわち、印刷装置の一例として、例えばＡ４、Ａ３、Ｂ４、Ｂ５サイズ等の通常の被印刷用紙に画像を形成したり、文字を印刷するプリンタや、被印字テープに所望の印刷を行って印字ラベルを作成する印字ラベル作成装置、に対し、本発明を適用してもよい。この場合も同様の効果を得る。
【００８２】
なお、以上において、図４〜図６の各図中に示す矢印は信号の流れの一例を示すものであり、信号の流れ方向を限定するものではない。
【００８３】
また、図１０、図１１に示すフローチャートは本発明を上記フローに示す手順に限定するものではなく、発明の趣旨及び技術的思想を逸脱しない範囲内で手順の追加・削除又は順番の変更等をしてもよい。
【００８４】
また、以上既に述べた以外にも、上記実施形態や各変形例による手法を適宜組み合わせて利用しても良い。
【００８５】
その他、一々例示はしないが、本発明は、その趣旨を逸脱しない範囲内において、種々の変更が加えられて実施されるものである。
【符号の説明】
【００８６】
１００            携帯型プリンタ（プリンタ）
１００Ａ〜Ｃ      携帯型プリンタ（プリンタ）
２００            操作端末
２０１            表示部（操作手段）
２０２            操作部（操作手段）
２０３            ＣＰＵ（制御手段）
２０４            メモリ（登録手段）
２０５            大容量記憶装置（記憶手段）
２０６            通信制御部（通信手段）
【図１】
0005900833.tif 000002
【図２】
0005900833.tif 000003
【図３】
0005900833.tif 000004
【図４】
0005900833.tif 000005
【図５】
0005900833.tif 000006
【図６】
0005900833.tif 000007
【図７】
0005900833.tif 000008
【図８】
0005900833.tif 000009
【図９】
0005900833.tif 000010
【図１０】
0005900833.tif 000011
【図１１】
0005900833.tif 000012